(57)【要約】【課題】ユーザが全く認識しない施設等に関する情報を、そのユーザが決定した地点に対応させて認識することが可能な情報提供装置を提供する。【解決手段】ユーザにより決定された地点の位置情報を取得すると共に、取得された位置情報に基づいて、その地点に関連する地物を特徴付けるＰＯＩ情報８１を取得するインターフェース１と、ユーザ以外の第三者から送信された投稿情報が記録されているサーバ装置ＳＶに対して、取得したＰＯＩ情報８１を送信するインターフェース３と、送信したＰＯＩ情報８１に関連した投稿情報が、サーバ装置ＳＶにおいて記録された投稿情報の中から抽出されて送信されてきたとき、その投稿情報を取得して表示する処理部５と、を備える。【選択図】図２
2018022505.tif 000002
【特許請求の範囲】
【請求項１】
ユーザにより決定された地点の位置情報を取得する位置取得手段と、
前記位置情報に関連する地物の名称に相当する地物名称情報のうちの、有名な地物に相当する前記地物名称情報を、複数の者により提供された提供情報が記録されている外部装置に送信する送信手段と、
前記外部装置から、前記送信した地物名称情報に関連する前記提供情報である関連情報を取得し、当該関連情報の少なくとも一部を前記ユーザに提示する提示手段と、
を備えることを特徴とする情報提供装置。
【発明の詳細な説明】
【技術分野】
【０００１】
本願は、情報提供装置、情報提供方法及び情報提供用プログラムの技術分野に属する。より詳細には、ユーザに情報を提供する処理を行う情報提供装置及び情報提供方法並びに当該情報提供装置用のプログラムの技術分野に属する。
【背景技術】
【０００２】
近年、いわゆるスマートフォンやタブレット型の端末装置等、携帯可能な情報処理装置が一般化しており、更にこのような情報処理装置を用いてそのユーザが外出先で種々の情報を取得することも一般に行われている。
【０００３】
ここで上記情報処理装置を用いて、例えば現在位置において評判や話題になっている出来事や、思いがけない情報など、当該現在位置周辺に関連する情報を得たい場合がある。この場合、上記現在位置を示すものとして例えばいわゆるＰＯＩ（Point Of Interest）情報等を検索条件として設定し、上述したような情報を管理する外部の例えばサーバ装置に対して当該情報を要求することが行われる。より具体的に例えば、ユーザ同士がコミュニケーションを交わすための投稿情報が授受されるいわゆるソーシャルネットワーキングサービス（Social Networking Service）に係るサーバ装置等（以下、単に「ＳＮＳサーバ装置」と称する）に対して上記検索条件を含む上記要求を送信し、そのＳＮＳサーバ装置から上述したような情報を得ることが考えられる。
【０００４】
しかしながらこの場合、現在位置周辺にどのような施設があるのかについて、そのユーザがそもそも判っていないと、現在位置周辺に関する種々の情報をＳＮＳサーバ装置から得ることはできない。即ち、当該施設の存在が判っていない場合、その施設を示す検索条件自体を上記要求に含ませることができないため、そのような施設の情報を取得することができないのである。
【０００５】
このような課題を解決するための技術が開示されている先行技術文献として、下記特許文献１がある。この特許文献１に開示されている技術では、現在位置の周辺に存在する施設等の名称情報（特許文献１における「目印情報」）に予め紐付けられた施設等の情報をデータベースで管理している。そして、位置情報から変換された名称情報の入力により、現在位置の周辺の施設等の情報を取得する構成とされている。またその際、ユーザが興味を示す施設等の種類をＳＮＳサーバ装置に予め設定し、上記名称情報の入力により、その興味がある種類として設定された施設等の情報を得る構成とされている。
【先行技術文献】
【特許文献】
【０００６】
【特許文献１】特開２０１０−５４４８４号公報
【発明の概要】
【発明が解決しようとする課題】
【０００７】
しかしながら、上記特許文献１に記載されている技術では、以下のような課題がある。
【０００８】
先ず、予め上記名称情報に紐付けられた、限られた施設等に関する情報しか取得することができないという問題点がある。また、興味がある種類として予め設定した対象情報しか得ることができないという問題点もある。そしてこれらの問題点から結果として、現在位置において、何か思いがけない情報を得たいといった場合に、それが不可能であるという問題点がある。
【０００９】
そこで本願は、上記の各問題点に鑑みて為されたもので、その課題の一例は、ユーザが全く認識しない施設等に関する情報を、そのユーザが決定した地点に対応させて認識することが可能な情報提供装置及び情報提供方法並びに当該情報提供装置用のプログラムを提供することにある。
【課題を解決するための手段】
【００１０】
上記の課題を解決するために、請求項１に記載の発明は、ユーザにより決定された地点の位置情報を取得する位置取得手段と、前記位置情報に関連する地物の名称に相当する地物名称情報のうちの、有名な地物に相当する前記地物名称情報を、複数の者により提供された提供情報が記録されている外部装置に送信する送信手段と、前記外部装置から、前記送信した地物名称情報に関連する前記提供情報である関連情報を取得し、当該関連情報の少なくとも一部を前記ユーザに提示する提示手段と、を備える。
【００１１】
上記の課題を解決するために、請求項８に記載の発明は、位置取得手段と、送信手段と、提示手段と、を備える情報提供装置において実行される情報提供方法であって、ユーザにより決定された地点の位置情報を前記位置取得手段により取得する位置取得工程と、前記位置情報に関連する地物の名称に相当する地物名称情報のうちの、有名な地物に相当する前記地物名称情報を、複数の者により提供された提供情報が記録されている外部装置に前記送信手段により送信する送信工程と、前記外部装置から、前記送信した地物名称情報に関連する前記提供情報である関連情報を取得し、当該関連情報の少なくとも一部を前記提示手段により前記ユーザに提示する提示工程と、を含む。
【００１２】
上記の課題を解決するために、請求項９に記載の発明は、コンピュータを、ユーザにより決定された地点の位置情報を取得する位置取得手段、前記位置情報に関連する地物の名称に相当する地物名称情報のうちの、有名な地物に相当する前記地物名称情報を、複数の者により提供された提供情報が記録されている外部装置に送信する送信手段、及び、前記外部装置から、前記送信した地物名称情報に関連する前記提供情報である関連情報を取得し、当該関連情報の少なくとも一部を前記ユーザに提示する提示手段、として機能させる。
【図面の簡単な説明】
【００１３】
【図１】実施形態に係る情報処理装置の概要構成を示すブロック図である。
【図２】第１実施例に係るナビゲーション装置の概要構成を示すブロック図である。
【図３】第１実施例に係る記録部における記録内容を例示する図であり、（ａ）はＰＯＩ情報の内容を例示する図であり、（ｂ）はジャンル情報の内容を例示する図である。
【図４】第１実施例に係る情報提供処理を示すフローチャートである。
【図５】第１実施例に係る表示例を示す図である。
【図６】第２実施例に係るナビゲーション装置の概要構成を示すブロック図である。
【図７】第２実施例に係るＰＯＩ情報の内容を例示する図である。
【図８】第２実施例に係る情報提供処理の全体を示すフローチャートである。
【図９】第２実施例に係るＰＯＩ情報の抽出処理を示すフローチャートである。
【図１０】第３実施例に係るナビゲーション装置の概要構成を示すブロック図である。
【図１１】第３実施例に係るＰＯＩ情報の内容を例示する図であり、（ａ）は第３実施例に係る地点情報の内容を例示する図であり、（ｂ）は第３実施例に係るＰＯＩ情報の内容を例示する図である。
【図１２】第３実施例に係る情報提供処理の全体を示すフローチャートである。
【発明を実施するための形態】
【００１４】
次に、本願を実施するための形態について、図１を用いて説明する。なお図１は、実施形態に係る情報処理装置の概要構成を示すブロック図である。
【００１５】
図１に示すように、実施形態に係る情報処理装置Ｓは、第１取得手段１と、第２取得手段２と、送信手段３と、第３取得手段４と、提示手段５と、により構成されている。このとき送信手段３及び第３取得手段４は、有線又は無線を介して外部のネットワークシステムＮＷに接続される。このネットワークシステムＮＷには、情報処理装置Ｓのユーザ以外の第三者から送信された第三者情報が記録されている。
【００１６】
この構成において第１取得手段１は、上記ユーザにより決定された地点の位置情報を取得する。このときの「地点」とは、例えば上記ユーザ自身の現在位置、或いは当該現在位置以外の、当該ユーザにより任意に設定された位置等が含まれる。
【００１７】
一方第２取得手段２は、第１取得手段１により取得された位置情報に基づいて、ユーザにより決定された地点に関連する地物を特徴付ける地物特徴情報を取得する。このときの「地物」とは例えば、上記地点付近の施設、交差点又は行政区画等の、地図上に例えばいわゆる注記表示を持って表される各種の地物をいう。
【００１８】
そして送信手段３は、上記ネットワークシステムＮＷに対して、第２取得手段２により取得した地物特徴情報を送信する。
【００１９】
これにより第３取得手段４は、送信手段３により送信した地物特徴情報に関連した関連情報が、ネットワークシステムＮＷに記録された第三者情報の中から抽出されて送信されてきたとき、当該送信されてきた関連情報を取得する。
【００２０】
そして提示手段５は、第３取得手段４により取得された関連情報をユーザに提示する。
【００２１】
以上説明したように、実施形態に係る情報処理装置Ｓの動作によれば、ユーザにより決定された地点の位置に基づいた地物特徴情報を、第三者情報が記録されているネットワークシステムに送信する。そして、送信した地物特徴情報に関連する関連情報が第三者情報から抽出されて送信されてきたとき、当該関連情報を取得してユーザに提示する。よって、ユーザ以外の第三者から送信された第三者情報から、ユーザが決定した地点の位置に基づいた地物特徴情報に関連する関連情報が抽出されて取得／提示されるので、当該ユーザが全く認識しない例えば地物に関する関連情報を、自身が決定した地点に対応させて当該ユーザが認識することができる。
【実施例】
【００２２】
次に、上述した実施形態に対応する具体的な実施例について、図２乃至図１２を用いて説明する。なお以下に説明する各実施例は、車両に搭載されてその車両の移動を案内するナビゲーション装置における案内処理、又はユーザに携帯されて移動する例えばいわゆるスマートフォン等の端末装置において実行される案内処理に対してそれぞれ実施形態を適用した場合の実施例である。なお以下の説明において、上記端末装置を携帯するユーザ及び上記車両を、単に「車両等」と称する。
【００２３】
（Ｉ）第１実施例
初めに、実施形態に係る第１実施例について、図２乃至図５を用いて説明する。なお、図２は第１実施例に係るナビゲーション装置の概要構成を示すブロック図であり、図３は第１実施例に係る記録部における記録内容を例示する図である。また、図４は第１実施例に係る情報提供処理を示すフローチャートであり、図５は第１実施例に係る表示例を示す図である。このとき図２では、図１に示した実施形態に係る情報処理装置Ｓにおける各構成部材に対応する実施例の構成部材それぞれについて、当該情報処理装置Ｓにおける各構成部材と同一の部材番号を用いている。
【００２４】
図２に示すように、実施形態に係る情報処理装置Ｓの一例に相当する第１実施例に係るナビゲーション装置Ｓは、インターネット等のネットワークＮＷを介して上記ＳＮＳサーバ装置等であるサーバ装置ＳＶと接続されている。
【００２５】
この構成においてサーバ装置ＳＶは、上述したようにＳＮＳサーバ装置として構成されており、第１実施例に係るナビゲーション装置Ｓのユーザ以外の第三者からのテキスト文を含むいわゆる投稿情報が記録されている。より具体的にサーバ装置ＳＶは、当該サーバ装置ＳＶに係るＳＮＳを利用する上記第三者を含む多数のユーザから投稿された投稿情報を、例えばそのテキスト文の本文と、本文に付与された投稿ユーザ名、投稿日時、位置情報（緯度／経度）等を含めて管理している。またこれらの投稿情報は、上記第三者たる各ユーザ（投稿者）が、例えば自身が訪れたことがある店舗や施設或いは有名な地点（史跡等）についての情報を自由に投稿したものである。よってこれら投稿情報としては、ナビゲーション装置Ｓのユーザが知り得ない広範囲且つ多岐に渡る情報が、上記店舗等が存在する地図上の地点に関連付けられて含まれていることになる。そして第１実施例に係るナビゲーション装置Ｓにおいては、ネットワークＮＷを介してこれらの投稿情報が取得可能とされている。なお、一つのナビゲーション装置ＳがネットワークＮＷを介して複数のサーバ装置ＳＶに接続され、これら複数のサーバ装置ＳＶから個別に上記投稿情報が取得できるように構成してもよい。
【００２６】
一方、上記サーバ装置ＳＶにネットワークＮＷを介して接続可能な第１実施例に係るナビゲーション装置Ｓは、実施形態に係る第１取得手段１の一例及び第２取得手段２の一例にそれぞれ相当するインターフェース１と、実施形態に係る送信手段３の一例及び第３取得手段４の一例にそれぞれ相当するインターフェース３と、ＣＰＵ、ＲＡＭ（Random Access Memory）及びＲＯＭ（Read Only Memory）等からなり且つ実施形態に係る提示手段５の一例に相当する処理部５と、操作ボタン又はリモコン等からなる操作部６と、加速度センサ等の自立型センサ及びＧＰＳセンサ並びに渋滞情報等収集用のＶＩＣＳ（Vehicle Information and Communication System）（登録商標）センサ等からなるセンサ部７と、上記車両等の移動を案内する際に表示される地図等に相当する地図データ等を含むデータベースを不揮発性に記録するハードディスク等からなる記録部８と、液晶ディスプレイ等からなるディスプレイ９と、により構成されている。なお記録部８には、上記地図データ等の他に、上記車両等の移動の案内に必要な例えば音声データ等のナビゲーション用データと、後述する第１実施例に係る地点情報等が、不揮発性の情報として記録されている。
【００２７】
また処理部５は、位置算出部５０と、検索条件設定部５１と、情報取得部５２と、情報抽出部５３と、表示内容選択部５４と、表示情報制御部５５と、を含んで構成されている。このとき上記位置算出部５０、検索条件設定部５１、情報取得部５２、情報抽出部５３、表示内容選択部５４及び表示情報制御部５５はそれぞれ、いわゆるハードウェアロジック回路により構成されていてもよいし、或いは、後述する第１実施例に係る情報提供処理を示すフローチャートに相当するプログラムを処理部５内のＣＰＵが読み込んで実行することにより、機能的に実現されるものであってもよい。また、上記記録部８が本願に係る「記憶手段」の一例、「出力手段」の一例及び「地物特徴情報記憶手段」の一例にそれぞれ相当し、上記インターフェース１が本願に係る「第４取得手段」の一例及び「第５取得手段」の一例にそれぞれ相当する。更に、上記操作部６が本願に係る「指定手段」の一例、「表示数設定手段」の一例及び「決定手段」の一例にそれぞれ相当し、上記処理部５が本願に係る「提示制御手段」の一例及び「表示制御手段」の一例にそれぞれ相当する。更にまたディスプレイ９が本願に係る「表示手段」の一例に相当し、センサ部７が本願に係る「位置検出手段」の一例にする。
【００２８】
一方記録部８には、上記ナビゲーション用データの他に、図２に示す第１実施例に係る地点情報８０と、第１実施例に係るＰＯＩ情報８１と、第１実施例に係るジャンル情報８２と、が不揮発性に記録されている。このとき地点情報８０としては、行政区分としての都道府県市区町村等それぞれの住所と、その住所に相当する地点の緯度／経度を示すデータと、が関連付けられて不揮発性に記録されている。またＰＯＩ情報８１としては図３（ａ）に例示するように、ある地点において特徴の対象となる施設や地物等（即ちＰＯＩ）の名称及びその住所をそれぞれ示すデータが不揮発性に記録されている。更にジャンル情報８２としては図３（ｂ）に例示するように、サーバ装置ＳＶに記録されている投稿情報の内容を分類して取得するためのジャンルの項目と、各々のジャンルに対応した関連語句と、を対応付けた情報が記録されている。より具体的にジャンル情報８２としては、例えば「そば」、「うどん」、「パスタ」、「カレー」、「喫茶店」、「カフェ」等の、上記投稿情報に含まれ得る関連語句が「食事」というジャンルに区分されて不揮発性に記録されている。また同様に、例えば「嬉しい」、「きれい」、「美味しい」及び「かっこいい」等の、上記投稿情報に含まれ得る関連語句が「感想」というジャンルに区分されて不揮発性に記録されている。
【００２９】
以上の構成においてインターフェース１は、処理部５の制御の下、処理部５と記録部８との間のデータの授受を制御する。またインターフェース３は、処理部５の制御の下、処理部５の情報取得部５２とネットワークＮＷとの間のデータの授受を制御する。更にセンサ部７は、上記自立型センサ及びＧＰＳセンサ並びにＶＩＣＳセンサ等により、ナビゲーション装置Ｓ自体の現在位置（換言すれば、ナビゲーション装置Ｓが搭載されている車両等の現在位置）を示す現在位置データ及び渋滞データ等を生成して処理部５に出力する。
【００３０】
一方、処理部５の位置算出部５０は、センサ部７からの上記現在位置データに基づいて、ナビゲーション装置Ｓの上記現在位置を算出する。この現在位置は、例えば当該現在位置を示す緯度／経度により表現されている。そして位置算出部５０は、当該緯度／経度により示される上記現在位置を示す位置情報を生成して、検索条件設定部５１に出力する。
【００３１】
これにより処理部５の検索条件設定部５１は、上記算出された位置情報に基づき、上記現在位置において特徴的となるＰＯＩ情報を、サーバ装置ＳＶに記録されている投稿情報内を検索するための検索条件として設定する。このとき検索条件設定部５１は、記録部８との間で、当該記録部８に地点情報８０として記録されている住所データ、並びにＰＯＩ情報８１として記録されている名称データ及び住所データの授受を行いつつ、上記検索条件の設定を行う。
【００３２】
これにより処理部５の情報取得部５２は、検索条件設定部５１において設定されたＰＯＩ情報を検索条件として、上記投稿情報を記録するサーバ装置ＳＶから、当該検索条件に対応した投稿情報を取得する。この場合に情報取得部５２は、サーバ装置ＳＶとの間でネットワークＮＷを介してデータを授受する通信機能を備えている。
【００３３】
次に処理部５の情報抽出部５３は、情報取得部５２によりサーバ装置ＳＶから取得された、上記検索条件としてのＰＯＩ情報を含む投稿情報をテキスト解析し、ナビゲーション装置Ｓを利用するユーザが設定したジャンルの上記関連語句を含む投稿情報を抽出する。
【００３４】
一方、処理部５の表示内容選択部５４は、ディスプレイ９における情報の表示範囲に合わせて、情報抽出部５３により抽出した投稿情報を表示する数や順番、部分等を含む表示内容を選択する。そして最後に処理部５の表示情報制御部５５は、表示内容選択部５４で選択した表示内容をディスプレイ９に表示する。なおこのとき表示情報制御部５５は、ナビゲーション装置Ｓのユーザの設定により表示内容を変更することも可能とされている。
【００３５】
次に第１実施例に係る情報提供処理について、より具体的に図４及び図５を用いて説明する。
【００３６】
図４に示すように、第１実施例に係る情報提供処理として、先ず位置算出部５０は、センサ部７からの上記現在位置データに基づいて、ナビゲーション装置Ｓの上記現在位置を算出し、それを緯度／経度により示す位置情報を生成して検索条件設定部５１に出力し、処理部５の検索条件設定部５１がこれを取得する（ステップＳ１）。そして検索条件設定部５１は、取得した位置情報の緯度／経度に対応する地点の住所を地点情報８０から呼び出す（ステップＳ２）。このとき検索条件設定部５１は、緯度／経度から住所に変換する既存の技術を用いてもよい。
【００３７】
次に検索条件設定部５１は、地点情報８０から読み出された住所に対応したＰＯＩ情報をＰＯＩ情報８１から呼び出す（ステップＳ３）。そして検索条件設定部５１は、上記ステップＳ１の処理により算出されたナビゲーション装置Ｓの現在位置に相当する住所に対応したＰＯＩ情報８１を、サーバ装置ＳＶに記録されている投稿情報に対する検索条件として設定し、そのＰＯＩ情報８１を情報取得部５２に出力する。このステップＳ１乃至ステップＳ３の処理により、例えばナビゲーション装置Ｓの現在位置の緯度／経度に相当する住所が「神奈川県川崎市幸区鹿島田」であった場合、例えば図３（ａ）に例示するＰＯＩ情報８１から、その住所に対応した「新川崎駅」及び「鹿島田跨線橋」が検索条件として設定される。なお、検索条件設定部５１による検索条件としてのＰＯＩ情報８１の設定は、状況に応じて任意のタイミングで行なうように構成してもよい。或いは、例えばナビゲーション装置Ｓの移動に伴う現在位地の変化に対応して定期的に検索条件としてのＰＯＩ情報８１を変更（更新）するように構成してもよい。
【００３８】
次に情報取得部５２は、ネットワークＮＷを介してサーバ装置ＳＶと接続する（ステップＳ４）。そして情報取得部５２は、上記ステップＳ３の処理により検索条件として設定されたＰＯＩ情報８１を含む投稿情報の取得要求を、当該サーバ装置ＳＶに送信する（ステップＳ５）。これにより情報取得部５２は、検索条件としてのＰＯＩ情報８１に対応した投稿情報を、当該ＰＯＩ情報８１を送信したサーバ装置ＳＶから受信し、情報抽出部５３に出力する（ステップＳ６）。
【００３９】
このときサーバ装置ＳＶとの通信は、例えばＷｉＭＡＸ（Worldwide Interoperability for Microwave Access）に準拠した無線ネットワークを用いることができる。或いは、無線ＬＡＮ（Local Area Network）を介して行ってもよい。またサーバ装置ＳＶとの通信に、例えばユーザの名前やパスワード等のいわゆるアカウント情報が求められる場合は、例えば操作部６により入力されたアカウント情報を一時的に記憶し、これを情報取得部５２によりサーバ装置ＳＶに送信する。
【００４０】
また上記投稿情報を複数のサーバ装置ＳＶから取得する場合、情報取得部５２は、例えば、「Ａ」、「Ｂ」及び「Ｃ」の三つのサーバ装置ＳＶに同時に又は時系列的に接続し、上記検索条件に対応する投稿情報をそれぞれ取得するように構成してもよい。更に情報取得部５２による投稿情報の取得は、状況に応じて任意のタイミングで行われる。例えば、上記検索条件が変化したタイミングで投稿情報の取得を自動的に行うように構成してもよい。
【００４１】
次に、検索条件としてのＰＯＩ情報８１に対応した投稿情報が出力された情報抽出部５３は、出力された投稿情報（検索条件としてのＰＯＩ情報８１を含む投稿情報）をテキスト解析する。そして情報抽出部５３は、テキスト解析の結果に基づいて、情報取得部５２から出力された投稿情報を既定されたジャンルに分類し（ステップＳ７）、ナビゲーション装置Ｓのユーザにより、表示すべき投稿情報のジャンル（図３（ｂ）参照）が例えば操作部６を用いて予め指定されているか否かを判定する（ステップＳ８）。ステップＳ８の判定において当該ジャンルが指定されている場合（ステップＳ８；ＹＥＳ）、情報抽出部５３は後述するステップＳ１１の処理に移行する。一方ステップＳ８の判定においてジャンルが指定されていない場合（ステップＳ８；ＮＯ）、情報抽出部５３は、例えば予め設定された数のジャンルの名称（図３（ｂ））を選択肢の態様でディスプレイ９上に表示し（ステップＳ９）、その後当該表示されている名称が例えば操作部６による操作により指定されたら、当該指定されたジャンルの名称を取得する（ステップＳ１０）。そして情報抽出部５３は、ユーザから指定されたジャンルの関連語句を含む投稿情報を、上記出力された投稿情報の中から抽出して表示内容選択部５４に出力する（ステップＳ１１）。より具体的に例えば、ナビゲーション装置Ｓのユーザが操作部６を用いて設定したジャンルが「食事」であった場合、ジャンル情報８２の「食事」の項目に関連する語句を含む投稿情報を抽出する。
【００４２】
なおこのとき情報抽出部５３において、ジャンルを設定せずに、投稿情報のテキスト解析した結果から抽出内容を決めてもよい。例えば、取得した投稿情報をテキスト解析した結果において「花火」を含むものが多数ある場合、花火を含む投稿情報として分類／抽出して表示内容選択部５４に出力してもよい。
【００４３】
次に処理部５の表示内容選択部５４は、ナビゲーション装置Ｓのユーザにより、ディスプレイ９上の表示範囲枠（後記図５参照）の数（換言すれば、投稿情報の数）が例えば操作部６を用いて予め指定されているか否かを判定する（ステップＳ１２）。ステップＳ１２の判定において当該数が指定されている場合（ステップＳ１２；ＹＥＳ）、表示内容選択部５４は後述のステップＳ１５の処理に移行する。一方ステップＳ１２の判定において当該数が指定されていない場合（ステップＳ１２；ＮＯ）、表示内容選択部５４は、当該表示範囲枠数を指定するための指定画面を選択肢の態様でディスプレイ９上に表示し（ステップＳ１３）、その後当該表示されている指定画面において表示範囲枠の数が例えば操作部６による操作により指定されたら、当該指定された表示範囲枠の数を取得する（ステップＳ１４）。
【００４４】
次に表示内容選択部５４は、上記指定された数の表示範囲枠に合わせて、情報抽出部５３から出力された投稿情報の表示数やその順番、具体的な部分等を選択して表示情報制御部５５に出力する（ステップＳ１５）。より具体的には、例えば指定された表示範囲枠の数（即ち、ディスプレイ９を用いて表示される投稿情報の数）がｎ個（ｎは自然数）で、情報抽出部５３により抽出した投稿情報を当該各枠内に一件ずつ表示する場合には、抽出した投稿情報をｎ件ずつの一纏まりとして選択する。
【００４５】
なおこの場合、例えば各投稿情報に含まれる投稿日時を示す情報に基づいて、表示する順番として投稿日時の古い順からｎ件ずつ選択してもよい。また各投稿情報における表示内容につき、表示量や表示タイミングを状況に応じて変更するように構成してもよい。例えば、位置算出部５０から出力された位置情報に基づいてナビゲーション装置Ｓが移動しているか否かを判定し、移動中の場合は投稿情報に含まれるジャンルの関連語句のみをその投稿情報の一部として表示し、一方停止中の場合は投稿情報の全文を表示するように構成してもよい。
【００４６】
次に表示情報制御部５５は、表示内容選択部５４により選択された内容の投稿情報を取得し（ステップＳ１６）、更に当該取得された投稿情報の内容をディスプレイ９上の表示範囲枠内に収めて表示する（ステップＳ１７）。この表示結果としては、例えば図５に例示するように、５個の表示範囲枠９０のそれぞれに、ナビゲーション装置Ｓのユーザによって指定されたジャンルの異なった投稿情報が表示される。なおこの場合に表示情報制御部５５は、表示範囲枠９０をｎ個ごとに切り替えたり、ｎ個の枠を自動的にスクロールして切り替えたりするようにしてもよい。また例えば、操作部６を用いたユーザの操作によりスクロールを巻き戻して、既に表示した表示内容を再度見ることができるように構成してもよい。
【００４７】
その後処理部５は、例えばナビゲーション装置Ｓの電源がオフとされたか否かを判定することにより、第１実施例に係る情報提供処理を終了するか否かを判定する（ステップＳ１８）。ステップＳ１８の判定において第１実施例に係る情報提供処理を終了しない場合（ステップＳ１８；ＮＯ）、処理部５は上記ステップＳ１に戻って当該情報提供処理を継続する。一方ステップＳ１８の判定において当該情報提供処理を終了する場合（ステップＳ１８；ＹＥＳ）、処理部５はそのまま当該情報提供処理を終了する。
【００４８】
以上それぞれ説明したように、第１実施例に係る情報提供処理によれば、ナビゲーション装置Ｓのユーザの現在位置に基づいたＰＯＩ情報８１を、当該ユーザ以外の第三者の投稿情報が記録されているサーバ装置ＳＶに送信する。そして、送信したＰＯＩ情報８１に関連する投稿情報がサーバ装置ＳＶにおいて抽出されて送信されてきたとき、当該投稿情報を受信してディスプレイ９に表示する。よって、ユーザ以外の第三者の投稿情報から、ユーザの現在位置に基づいたＰＯＩ情報８１に関連する投稿情報が抽出されて取得／表示されるので、そのユーザが全く認識しない例えば施設に関する投稿情報を、自身の現在位置に対応させて認識することができる。なおこのとき、当該ユーザの現在位置ではなく、種々の投稿情報を見たいとしてそのユーザが例えば操作部６を用いて決定した、当該現在位置以外の特定の地点に基づいたＰＯＩ情報８１を用いて投稿情報をサーバ装置ＳＶから取得して表示するように構成してもよい。この場合には、そのユーザが決定した地点の位置に基づいたＰＯＩ情報８１を用いるので、ユーザの決定した地点の位置に関連し、且つ当該ユーザが全く認識しない例えば施設に関する投稿情報を表示することができる。
【００４９】
また、指定されたジャンルに対応する投稿情報が表示されるので、ユーザが所望する投稿情報をジャンルに分けて的確に表示することができる。
【００５０】
更に、表示範囲枠９０を用いて投稿情報を分けて表示するので、分かり易く投稿情報を表示することができる。
【００５１】
更にまた、ユーザの現在位置を検出するセンサ部７を備えているので、ユーザの現在の位置に関連し、且つ当該ユーザが全く認識しない例えば施設に関する投稿情報を表示することができる。
【００５２】
また、記録部８に記録されているＰＯＩ情報８１の中から必要なＰＯＩ情報８１を取得するので、完結した一つのナビゲーション装置Ｓにおいて、ユーザが全く認識しない例えば施設に関する投稿情報を表示することができる。
【００５３】
（II）第２実施例
次に、実施形態に係る他の実施例である第２実施例について、図６乃至図９を用いて説明する。なお、図６は第２実施例に係るナビゲーション装置の概要構成を示すブロック図であり、図７は第２実施例に係るＰＯＩ情報の内容を例示する図である。また、図８は第２実施例に係る情報提供処理の全体を示すフローチャートであり、図９は第２実施例に係るＰＯＩ情報の抽出処理を示すフローチャートである。このとき図６では、図１に示した実施形態に係る情報処理装置Ｓにおける各構成部材に対応する実施例の構成部材それぞれについて、当該情報処理装置Ｓにおける各構成部材と同一の部材番号を用いている。また図６において、図２に示す第１実施例に係るナビゲーション装置Ｓと同一の部材については、同一の部材番号を付して細部の説明は省略する。更に図８において、図４に示す第１実施例に係る情報提供処理と同一の処理については、同一のステップ番号を付して細部の説明は省略する。
【００５４】
上述した第１実施例に係る情報提供処理では、検索条件設定部５１において、ＰＯＩ情報８１として記録部８に記録されているＰＯＩ情報については軽重を付けることなく検索条件として設定する構成とした。これに対して以下に説明する第２実施例に係る情報提供処理では、検索条件として用いるＰＯＩ情報として、一般的によりよく知られているＰＯＩ情報を検索条件として設定する。即ち第２実施例に係る情報提供処理においては、記録部８に記録されているＰＯＩ情報において、サーバ装置ＳＶから取得された投稿情報に実際に含まれていたＰＯＩ情報（例えば施設についての名称データ等）をその地点における「有名な」施設等についてのＰＯＩ情報と判定し、そのＰＯＩ情報を、ナビゲーション装置Ｓのユーザにより所望される地点の特徴となるＰＯＩ情報として検索条件に用いる。これにより、一般的によく知られている（即ち有名な）施設等についてのＰＯＩ情報を含む投稿情報をサーバ装置ＳＶから取得して表示することにより、ナビゲーション装置Ｓのユーザに係る地点に関連する色々な情報を表示する。
【００５５】
即ち第２実施例に係るナビゲーション装置Ｓ２では、図６に示すように、記録部８に記録されるＰＯＩ情報がＰＯＩ情報８５とされている。このときＰＯＩ情報８５では図７に例示するように、第１実施例に係るＰＯＩ情報８１に対して、その施設等が「有名」か否かを示すデータが追加的に含まれている。なお以下の説明において、上記有名か否かを示すデータを単に「有名データ」と称する。この有名データとしては、有名である場合は「○」と記述されており、有名でない場合は「×」と記述されている。また、有名か否かの判定がされていない場合は、例えば「Ｎｕｌｌ」と記述されている。
【００５６】
そして第２実施例に係る処理部５の検索条件設定部５１は、位置算出部５０により算出された位置情報に基づき、上記現在位置において特徴的となる有名な施設等についてのＰＯＩ情報を、サーバ装置ＳＶに記録されている投稿情報内を検索するための検索条件として設定する。このとき検索条件設定部５１は、記録部８との間で、当該記録部８に地点情報８０として記録されている住所データ、並びにＰＯＩ情報８５として記録されている名称データ、住所データ及び上記有名データの授受を行いつつ、上記検索条件の設定を行う。
【００５７】
これにより情報取得部５２は、検索条件設定部５１において設定されたＰＯＩ情報を検索条件として、上記投稿情報を記録するサーバ装置ＳＶから、当該検索条件に対応した投稿情報を取得する。
【００５８】
そして情報抽出部５３は、情報取得部５２によりサーバ装置ＳＶから取得された、住所を含む投稿情報をテキスト解析すると共に、記録部８に記録されているＰＯＩ情報８５を参照し、検索条件としたＰＯＩ情報８５が投稿情報に含まれるかの判定により、現在位置でＰＯＩ情報８５の施設等が有名であるかを判定する。これに加えて情報抽出部５３は、上記検索条件としてのＰＯＩ情報を含む投稿情報をテキスト解析すると共に、記録部８に記録されているジャンル情報８２を参照し、ナビゲーション装置Ｓを利用するユーザが設定したジャンルの上記関連語句を含む投稿情報を抽出する。
【００５９】
なお、上記検索条件設定部５１、情報取得部５２及び情報抽出部５３以外の第２実施例に係るナビゲーション装置Ｓ２の構成部材については、第１実施例に係るナビゲーション装置Ｓの対応する構成部材と同様の機能を有するので、細部の説明は省略する。
【００６０】
次に第２実施例に係る情報提供処理について、より具体的に図８及び図９を用いて説明する。
【００６１】
第２実施例に係る情報提供処理としては図８に示すように、先ず第１実施例に係る情報提供処理と同様のステップＳ１及びステップＳ２の処理が、位置算出部５０及び検索条件設定部５１により実行される。
【００６２】
次に検索条件設定部５１は、ステップＳ１の処理により算出された緯度／経度の地点に該当する有名なＰＯＩ情報８５を、サーバ装置ＳＶから取得する投稿情報に対する検索条件として設定する。即ち検索条件設定部５１は、地点情報８０から読み出された住所に対応したＰＯＩ情報について、ＰＯＩ情報８５において有名か否かの判定がされているか否か（即ち、その時点でのＰＯＩ情報８５において、上記有名データとして「○」又は「×」が記述されているＰＯＩ情報であるか否か）を判定する（ステップＳ２０）。ステップＳ２０の判定において、地点情報８０から読み出された住所に対応したＰＯＩ情報について、ＰＯＩ情報８５において有名か否かの判定がされている場合（ステップＳ２０；ＹＥＳ）、次に検索条件設定部５１は、上記ステップＳ２の処理により地点情報８０から読み出された住所に対応し、且つ上記ステップＳ２０の判定において有名と判定された（即ち、上記有名データとして「○」が記述されていた）ＰＯＩ情報を、ＰＯＩ情報８１から呼び出す（ステップＳ２２）。その後検索条件設定部５１を含む処理部５は、上記ステップＳ２２の処理により読み出されたＰＯＩ情報８５について、第１実施例に係る情報提供処理と同様のステップＳ４乃至ステップＳ１８の処理を実行する。より具体的に例えば、現在位置の緯度／経度に対応する地点の住所が「神奈川県川崎市幸区鹿島田」であった場合、その地点に対応するＰＯＩ情報８５において有名データが「○」である「新川崎駅」を検索条件として設定し、その後第１実施例に係る情報提供処理と同様のステップＳ４乃至ステップＳ１８の処理を実行する。
【００６３】
一方、ステップＳ２０の判定において、地点情報８０から読み出された住所に対応したＰＯＩ情報について、ＰＯＩ情報８５において有名か否かの判定がされておらず、上記有名データが空欄（「Ｎｕｌｌ」）である場合（ステップＳ２０；ＮＯ）、検索条件設定部５１を含む処理部５は、上記ステップＳ２の処理により地点情報８０から読み出された住所に対応する有名なＰＯＩ情報を抽出する処理を別途実行する（ステップＳ２１）。その後検索条件設定部５１は上記ステップＳ２２の処理を実行し、更に処理部５は、当該読み出された有名なＰＯＩ情報について、第１実施例に係る情報提供処理と同様のステップＳ４乃至ステップＳ１８の処理を実行する。
【００６４】
次に、上記ステップＳ２１に係るＰＯＩ情報の抽出処理について、より具体的に図９を用いて説明する。
【００６５】
上記ステップＳ２１の処理としては先ず、ステップＳ１の処理により算出した緯度／経度の地点の住所を検索条件設定部５１において取得し、それを検索条件として設定する（ステップＳ２１０）。次に情報取得部５２は、ネットワークＮＷを介してサーバ装置ＳＶと接続する（ステップＳ２１１）。そして情報取得部５２は、上記ステップＳ２１０の処理により検索条件として設定された住所を含む投稿情報の取得要求を、サーバ装置ＳＶに送信する（ステップＳ２１２）。これにより情報取得部５２は、検索条件としての上記住所に対応した投稿情報を、上記取得要求を送信したサーバ装置ＳＶから受信し、情報抽出部５３に出力する（ステップＳ２１３）。次に情報抽出部５３は、上記検索条件として設定した住所のＰＯＩ情報８５（即ち、有名データが「Ｎｕｌｌ」であるＰＯＩ情報８５）を記録部８から取得する（ステップＳ２１４）。その後情報抽出部５３は、情報取得部５２から出力された投稿情報をテキスト解析し、記録部８から取得したＰＯＩ情報８５の施設等の名称がその投稿情報に含まれているか判定する（ステップＳ２１５）。ステップＳ２１５の判定において、記録部８から取得したＰＯＩ情報８５の施設等の名称がその投稿情報に含まれている場合（ステップＳ２１５；ＹＥＳ）、情報抽出部５３はそのＰＯＩ情報８５の有名データを「Ｎｕｌｌ」から「○」に書き換えて（ステップＳ２１６）、図８に示す上記ステップＳ３の処理に移行する。一方ステップＳ２１５の判定において、記録部８から取得したＰＯＩ情報８５の施設等の名称がその投稿情報に含まれていない場合（ステップＳ２１５；ＮＯ）、情報抽出部５３はそのＰＯＩ情報８５の有名データを「Ｎｕｌｌ」から「×」（即ち「有名」でない）に書き換えて（ステップＳ２１７）、図８に示す上記ステップＳ２２の処理に移行する。
【００６６】
このステップＳ２１における一連の処理では、図７を参照して、例えば現在位置の緯度／経度に対応する地点の住所が「神奈川県川崎市幸区新川崎」であった場合、該当する地点として「新川崎」を検索条件に設定し（ステップＳ２１０参照）、サーバ装置ＳＶから「新川崎」を含む投稿情報を取得する（ステップＳ２１１乃至ステップＳ２１３参照）。そして、取得した投稿情報をテキスト解析し、該当する地点「新川崎」に対応した施設等の名称「新川崎ツインタワー」は含まれているが、「セントラルスイート新川崎」は含まれていない場合、「新川崎ツインタワー」の有名データを「Ｎｕｌｌ」から「○」に書き換え、更に「セントラルスイート新川崎」の有名データを「Ｎｕｌｌ」から「×」に書き換える（ステップＳ２１６及びステップＳ２１７参照）。
【００６７】
なお、図７に例示するＰＯＩ情報８５について、検索条件とされた施設等の地点において有名な施設等（ＰＯＩ）がない（即ち、ＰＯＩ情報８５の有名データが、当該地点については全て「×」である）場合は、位置算出部５０により算出した緯度／経度の地点の住所を検索条件として検索条件設定部５１で設定し、現在位置の住所を含む投稿情報をサーバ装置ＳＶから取得して、その場所に関連する投稿情報として表示するように構成することもできる。またＰＯＩ情報８５の有名データは、状況に応じて任意のタイミングで更新してもよい。例えば、有名データの設定した日時から既定の期間を経過した場合、上記ステップＳ２０及びステップＳ２１に係る有名判定処理を再度行って内容を変更してもよい。更に検索条件としてのＰＯＩ情報の設定は、状況に応じて任意のタイミングで行なってもよい。例えば、ナビゲーション装置Ｓの現在位置の変化に応じて定期的に検索条件としてのＰＯＩ情報を変えてもよい。
【００６８】
以上説明したように、第２実施例に係る情報提供処理によれば、第１実施例に係る情報提供処理による作用効果に加えて、有名データをＰＯＩ情報８５として記録すると共に、その名称が投稿情報に含まれていたこと（即ち有名であること）が有名データにより示されているＰＯＩ情報８５のみを検索条件としてサーバ装置ＳＶに送信するので、投稿情報に含まれているＰＯＩ情報を検索条件として送信することで、ユーザが決定した地点に関連するより多岐な投稿情報を取得して表示することができる。
【００６９】
（III）第３実施例
最後に、実施形態に係る更に他の実施例である第３実施例について、図１０乃至図１２を用いて説明する。なお、図１０は第３実施例に係るナビゲーション装置の概要構成を示すブロック図であり、図１１は第３実施例に係るＰＯＩ情報の内容を例示する図であり、図１２は第３実施例に係る情報提供処理の全体を示すフローチャートである。このとき図１０では、図１に示した実施形態に係る情報処理装置Ｓにおける各構成部材に対応する実施例の構成部材それぞれについて、当該情報処理装置Ｓにおける各構成部材と同一の部材番号を用いている。また図１０において、図２に示す第１実施例に係るナビゲーション装置Ｓと同一の部材については、同一の部材番号を付して細部の説明は省略する。更に図１２において、図４に示す第１実施例に係る情報提供処理と同一の処理については、同一のステップ番号を付して細部の説明は省略する。
【００７０】
以下に説明する第３実施例に係る情報提供処理では、上述した第１実施例に係る情報提供処理と異なり、検索条件として用いるＰＯＩ情報として、より分かり易い施設等についてのＰＯＩ情報を用いる。即ち第３実施例に係る情報提供処理においては、記録部８に記録されているＰＯＩ情報において、施設等が存在する地点自体の「特性」と記録部８に記録されているＰＯＩとしての施設等の「特性」を含ませて記録する。具体的に例えば、「住宅地」や「商業地」或いは「工場地」といった地点の「特性」を地点特性データとして予め地点情報に記録すると共に、「駅」、「橋」、「商業ビル」、「住宅ビル」或いは「工場」といった施設等の「特性」をＰＯＩ特性データとして予めＰＯＩ情報に記録する。そしてナビゲーション装置Ｓのユーザの指定により、例えば現在位置としての地点の特性と関連性が強い特性を持つ、言い換えれば現在位置の地点の特性に「沿った」、或いはその地点に「溶け込んだ」施設等をＰＯＩとして選択する。或いは、その地点の特性と関連性が弱い特性を持つ、言い換えれば現在位置の地点の特性に「沿わない」、或いはその地点で「特異な」施設等をＰＯＩとして選択する。そしてこれらにより、分かり易い施設等についてのＰＯＩ情報を検索条件として設定し、そのＰＯＩ情報を含む投稿情報をサーバ装置ＳＶから取得して表示することにより、例えば、現在位置に溶け込んだ、若しくは現在位置に対して特異な施設等を含む投稿情報が取得できることで、ナビゲーション装置Ｓのユーザに係る地点に関連する色々な情報を表示する。
【００７１】
即ち第３実施例に係るナビゲーション装置Ｓ３では、図１０に示すように、記録部８に記録される地点情報が地点情報８６とされ、更にＰＯＩ情報がＰＯＩ情報８７とされている。このとき地点情報８６では図１１（ａ）に例示するように、第１実施例に係るＰＯＩ情報８１に対して、その地点の特性を示す上記地点特性データが追加的に含まれている。またＰＯＩ情報８７では図１１（ｂ）に例示するように、第１実施例に係るＰＯＩ情報８１に対して、そのＰＯＩ情報の施設等の特性を示す上記ＰＯＩ特性データが追加的に含まれている。
【００７２】
そして第３実施例に係る処理部５の検索条件設定部５１は、位置算出部５０により算出された位置情報に基づき、上記現在位置の地点情報８６としての特性とＰＯＩ情報８７としての特性の関連性の強弱から、現在位置において分かり易い施設等についてのＰＯＩ情報８７を選択し、そのＰＯＩ情報８６を投稿情報に対する検索条件として設定する。このとき検索条件設定部５１は、記録部８との間で、当該記録部８に地点情報８６として記録されている住所データ及び上記地点特性データ、並びにＰＯＩ情報８７として記録されている名称データ、住所データ及び上記ＰＯＩ特性データの授受を行いつつ、上記検索条件の設定を行う。
【００７３】
なお、上記検索条件設定部５１以外の第３実施例に係るナビゲーション装置Ｓ３の構成部材については、第１実施例に係るナビゲーション装置Ｓの構成部材と同様の機能を有するので、細部の説明は省略する。
【００７４】
次に第３実施例に係る情報提供処理について、より具体的に図１２を用いて説明する。
【００７５】
第３実施例に係る情報提供処理としては図１２に示すように、先ず第１実施例に係る情報提供処理と同様のステップＳ１及びステップＳ２の処理が位置算出部５０及び検索条件設定部５１により実行される。
【００７６】
次に検索条件設定部５１は、ステップＳ１の処理により算出された緯度／経度の地点の特定と、その地点の住所に対応する施設等の特性との関連性の強弱を、例えばいわゆる「シソーラス分析法」等の単語類似度分析法により判定する（ステップＳ２５）。次に検索条件設定部５１は、ナビゲーション装置Ｓのユーザにより、表示すべき投稿情報について、地点との間での特性の関連性の強／弱が例えば操作部６を用いて予め指定されているか否かを判定する（ステップＳ２６）。ステップＳ２６の判定において当該強／弱が指定されている場合（ステップＳ２６；ＹＥＳ）、検索条件設定部５１は後述するステップＳ２９の処理に移行する。一方ステップＳ２６の判定において当該強／弱が指定されていない場合（ステップＳ２６；ＮＯ）、検索条件設定部５１は、上記関連性の強／弱を指定するための例えば指定画面をディスプレイ９に表示し（ステップＳ２７）、その後当該表示されている指定画面を用いて指定された関連性の強／弱を取得する（ステップＳ２８）。
【００７７】
次に検索条件設定部５１は、当該指定された関連性の強／弱に基づいて、表示すべき投稿情報について、地点との間で特性の関連性が強いＰＯＩ情報を含む投稿情報を表示することが指定されているか否かを判定する（ステップＳ２９）。ステップＳ２９の判定において当該関連性が強いＰＯＩ情報を含む投稿情報を表示することが指定されている場合（ステップＳ２９；ＹＥＳ）、検索条件設定部５１はＰＯＩ情報８７を参照して、その地点の特性との関連性が強いと判定された（ステップＳ２５参照）ＰＯＩ情報８７を取得し（ステップＳ３１）、そのＰＯＩ情報８７について第１実施例に係る情報提供処理と同様のステップＳ４乃至ステップＳ１８の処理を実行する。一方ステップＳ２９の判定において当該関連性が弱いＰＯＩ情報を含む投稿情報を表示することが指定されている場合（ステップＳ２９；ＮＯ）、検索条件設定部５１はＰＯＩ情報８７を参照して、その地点の特性との関連性が弱いと判定された（ステップＳ２５参照）ＰＯＩ情報８７を取得し（ステップＳ３０）、そのＰＯＩ情報８７について第１実施例に係る情報提供処理と同様のステップＳ４乃至ステップＳ１８の処理を実行する。このとき検索条件設定部５１は、例えば現在位置の緯度／経度に対応する地点が「神奈川県川崎市幸区新川崎」であった場合、ＰＯＩ情報８７を参照するとその地点の特性は「住宅地」となり、更に該当する地点の施設等についてのＰＯＩ情報８７の特性は「商業ビル」又は「住宅ビル」となる（図１１（ｂ）参照）。ここで、ナビゲーション装置Ｓのユーザが特性の関連性について「強い」を指定していた場合（ステップＳ２９；ＹＥＳ参照）、検索条件設定部５１は、「住宅地」と関連性が強く、且つその地点に溶け込んだ分かり易い「住宅ビル」の特性を持つ「セントラルスイート新川崎」のＰＯＩ情報８７を、検索条件として設定して第１実施例に係る情報提供処理と同様のステップＳ４乃至ステップＳ１８の処理を実行する。これに対して、当該ユーザが特性の関連性について「弱い」を指定していた場合（ステップＳ２９；ＮＯ参照）、検索条件設定部５１は、「住宅地」と関連性が弱く、且つその地点に特異で分かり易い「商業ビル」の特性を持つ「新川崎ツインタワー」を、検索条件として設定して第１実施例に係る情報提供処理と同様のステップＳ４乃至ステップＳ１８の処理を実行する。
【００７８】
ここで、地点情報８６に係る地点の特性とＰＯＩ情報８７としての施設等についてのＰＯＩの特性との関連性の強弱は、関連性が「強い」ものと「弱い」ものとを予め既定しておいてもよい。また、関連性が強くも弱くもなく、どこにでもあるような施設とのＰＯＩは選択しないよう構成することもできる。より具体的に例えば、「県道○×号」等の「道路」の特性を持つＰＯＩは、「住宅地」や「商業地」にも存在するＰＯＩであるとして選択しないように構成することができる。
【００７９】
以上説明したように、第３実施例に係る情報提供処理によれば、第１実施例に係る情報提供処理による作用効果に加えて、地点特性データを地点情報８６として記録すると共に、ＰＯＩ特性データをＰＯＩ情報８７として記録する。そして、地点特性データ及びＰＯＩ特性データに基づいて、当該地点特性データと当該ＰＯＩ特性データとが関連しているＰＯＩ情報８７のみを検索条件としてサーバ装置ＳＶに送信するので、地点特性データとＰＯＩ特性データとが関連しているＰＯＩ情報８７に基づいて、ユーザが決定した地点に関連するより多岐な投稿情報を取得して表示することができる。
【００８０】
なお、上述した各実施例では、ナビゲーション装置Ｓにおける情報提供処理に対して実施形態を適用した場合について説明したが、これ以外に、ユーザに携帯される端末装置における地点に関する投稿情報の表示処理に対して実施形態を適用することもできる。
【００８１】
また上述した各実施例では、取得した投稿情報を表示する場合に実施形態を適用したが、これ以外に、例えば音声を用いてその投稿情報の内容を告知する装置に対して実施形態を適用することもできる。
【００８２】
更に上述した各実施例では、センサ部７及び記録部８を共に備えたナビゲーション装置Ｓに対して実施形態を適用したが、これ以外に、例えば各実施例に係るＰＯＩ情報等がインターネット等のネットワークシステム上に記録されており、ネットワークを介して必要なＰＯＩ情報を取得する情報処理装置等に対して実施形態を適用してもよい。更にまたセンサ部が別体とされており、そのセンサ部から必要な現在位置データを取得する情報処理装置等に対して実施形態を適用してもよい。
【００８３】
更にまた、図４、図８又は図１２にそれぞれ示したフローチャートに相当するプログラムを、光ディスク又はハードディスク等の記録媒体に記録しておき、或いはインターネット等のネットワークを介して取得して記録しておき、これらを汎用のマイクロコンピュータ等に読み出して実行することにより、当該マイクロコンピュータ等を各実施例に係る処理部５として機能させることも可能である。
【符号の説明】
【００８４】
１    第１取得手段（インターフェース）
２    第２取得手段
３    送信手段（インターフェース）
４    第３取得手段
５    提示手段（処理部）
６    操作部
７    センサ部
８    記録部
９    ディスプレイ
５０    位置算出部
５１    検索条件設定部
５２    情報取得部
５３    情報抽出部
５４    表示内容選択部
５５    表示情報制御部
８０、８６    地点情報
８１、８５、８７    ＰＯＩ情報
８２    ジャンル情報
９０    表示範囲枠
Ｓ    情報処理装置（ナビゲーション装置）
Ｓ２、Ｓ３    ナビゲーション装置
ＮＷ    ネットワークシステム
ＳＶ    サーバ装置
【図１】
2018022505.tif 000003
【図２】
2018022505.tif 000004
【図３】
2018022505.tif 000005
【図４】
2018022505.tif 000006
【図５】
2018022505.tif 000007
【図６】
2018022505.tif 000008
【図７】
2018022505.tif 000009
【図８】
2018022505.tif 000010
【図９】
2018022505.tif 000011
【図１０】
2018022505.tif 000012
【図１１】
2018022505.tif 000013
【図１２】
2018022505.tif 000014